(57)【要約】【課題】記憶装置を携帯型電子装に外部的に接続され、記憶装置の伝送速度を向上させるＳＡＴＡコネクタを提供する。【解決手段】本発明のＳＡＴＡコネクタは、携帯型電子装置に組付けられ、外部の記憶装置と接続するＳＡＴＡコネクタであって、外向きに開口している接続孔を有する絶縁ケースと、８個のケース内の横一列に並んで前記接続孔内に設けられた送信のための信号端子と、１６個の前記ケース内の信号端子列と間隔をあけて横向きに１列になるように設けられていて電源とつなぐ電源端子とを備える。【選択図】図４
2004319372.tif 000002
【特許請求の範囲】
【請求項１】
携帯型電子装置に設けられて、外部記憶装置と接続するための直列ＡＴＡコネクタであって、
外へ向けて開口している接続孔が設けられた絶縁ケースと、
８個の接続孔に臨んでケース内に横一列に並設された送信のための信号端子と、
１６個の同じく前記絶縁ケース内に前記信号端子列と間隔をあけて横向きに１列になるように設けられていて電源とつなぐ電源端子とを備えたことを特徴とするＳＡＴＡコネクタ。
【請求項２】
前記信号端子における第１、第４、第５及び第８の信号端子を接地端子とし、第２及び第３の端子を差動信号対端子とし、第６及び第７の信号端子を他の差動信号対端子としたことを特徴とする請求項１に記載のＳＡＴＡコネクタ。
【請求項３】
前記電源端子における第１、第２及び第３の電源端子を＋３Ｖの直流電源とつなぐものとし、第４、第５、第６、第１２、第１３及び第１４の電源端子を接地のためのものとし、第７、第８及び第１６の電源端子を＋１２Ｖの直流電源とつなぐものとし、第９、第１０及び第１１の電源端子を＋５Ｖの直流電源とつなぐものとし、第１５の電源端子を予備端子としたことを特徴とする請求項１に記載のＳＡＴＡコネクタ。
【請求項４】
前記絶縁ケース内に、２の基板が間隔を開けて左右並列しており、且つ、前記１６個の電源端子が前記一つの基板に配設されており、前記８個の信号端子が前記他の基板に配設されていることを特徴とする請求項１に記載のＳＡＴＡコネクタ。
【請求項５】
前記絶縁ケースの前記接続孔の開口が外向きへ露出するように請求項１乃至４のいずれかの一項に記載のＳＡＴＡコネクタが付設されているノートパソコン。
【発明の詳細な説明】
【０００１】
【発明の属する技術分野】
本発明は直列アドバンステクノロジクアタッチメント（以下ＳＡＴＡと称す）コネクタに関し、特に、携帯型電子装置において、外部記憶装置を接続するためのＳＡＴＡコネクタに関する。
【０００２】
【従来の技術】
ＡＴＡ（Ａｄｖａｎｃｅｄ  Ｔｅｃｈｎｏｌｏｇｉｃ  Ａｔｔａｃｈｍｅｎｔ，ＡＴインタフェース）は一般ディスクドライブのインタフェーススタンダードであり、ＡＴとはＩＢＭ  ＰＣ／ＡＴにおけるバス構造をいう。ＡＴＡは内部記憶装置の転送インタフェースとしてノートパソコンにも応用され、並列ＡＴＡ及び直列ＡＴＡの２のスタンダードに推移した。並列ＡＴＡは、転送帯域幅が限られ、高速化のＣＰＵに適用されなくなる一方、高速転送ができるＳＡＴＡが段々注目され、現在の内部記憶装置の接続インタフェースとして定着した。
【０００３】
図１に示すように、従来のＳＡＴＡ１は、ノートパソコンの拡張スロット内（図示せず）に設けられているＳＡＴＡコネクタ１１と、内部記憶装置、例えばハードディスクドライブに設けられ、ＳＡＴＡコネクタ１１に差し込むユニットプラグ１２とを備えている。そして、ＳＡＴＡコネクタ１１は、絶縁ベース１１０と、絶縁ベース１１０上に、間隔を開けて配設されている信号端子部１１１及び電源端子部１１２とからなり、信号端子部１１１は７個の信号端子を有し、電源端子部１１２は、１５個の電源端子を有する。これらの信号端子及び電源端子の定義は図２の示す通りである。ユニットプラグ１２は、一端部が信号端子部１１１に差込まれ、電気的に接続される信号アダプタ１２３が設けられている信号ケーブル１２１と、その一端部が電源端子部１１２に差込まれ、電気的に接続される電源アダプタ１２４が設けられている電源ケーブル１２２とからなる。しかしながら、上記従来のＳＡＴＡコネクタ１１は、ノートパソコンの拡張スロットに設けられており、外部接続のためのものではないので、ノートパソコンの拡張スロットに配設されたハードディスクドライブは、ＳＡＴＡコネクタ１１及びユニットプラグ１２を介してノートパソコンに電気的に接続される場合、ハードディスクドライブが高速運転すると、それによる熱が容易に放出されず、ハードディスクドライブの運転速度が高くなってノートパソコンの許容範囲を超える場合、それによる高温がノートパソコンの機能に影響をするおそれがある。従って、たとえ、ＳＡＴＡの伝送帯域幅が高く、ハードディスクドライブの運転機能が優れても、ＳＡＴＡ及びハードディスクドライブは、ノートパソコン内に設けられたものであるので、運転速度が速すぎると、高温や放熱しにくい問題が生じることから、制限された伝送速度で運転し、高速の機能を発揮することができない。
【０００４】
従って、ＳＡＴＡコネクタ１１をノートパソコンの外部に設け、外部より記憶装置を接続すれば、前記のような内部記憶装置による高温や伝送速度が制限されるなどの問題を解消することが可能になる。
【０００５】
【発明が解決しようとする課題】
上記に鑑みて、本発明の目的は、記憶装置を携帯型電子装置の外部より接続し、記憶装置の伝送速度を向上させＳＡＴＡコネクタを提供しようとすることにある。
【０００６】
【課題を解決するための手段】
上記目的を達成するために、本発明は、携帯型電子装置に設けられて、外部記憶装置を装置に接続するＳＡＴＡコネクタとして、外部へ向けて開口している接続孔が設けられた絶縁ケースと、８個の接続孔に臨んでケース内に横一列に並設された送信のための信号端子と、１６個の同じく前記絶縁ケース内に前記信号端子列と間隔をあけて横向きに１列になるように設けられていて電源とつなぐ電源端子とを備えたことを特徴とする。これにより、本発明に係るＳＡＴＡコネクタは、外部記憶装置を携帯型電子装置に接続することができるので、前記従来のような高温及び放熱の問題を解消することができ、記憶装置の運転機能を向上させるのみならず、十分に伝送速度の高速化を達成することができる。
【０００７】
【発明の実施の形態】
以下、図３乃至図５に示した図面を参照しながら、本発明の実施例を説明する。図示のように、外部記憶装置と接続するために、本実施例におけるＳＡＴＡコネクタ２は携帯型電子装置に設けられる。このＳＡＴＡコネクタ２は、外へ向けて開口している接続孔２１１を有する絶縁ケース２１と、８個のケース２１内の左右に一列になるように接続孔２１１に臨んで設けられた送信のための信号端子２２と、１６個の同じくケース２１内の前記信号端子列と間隔をあけて上下並列するように設けられていて電源入力ための電源端子２３とを備えている。
【０００８】
また、図４に示すように、絶縁ケース２１内には、第１及び第２の基板２１２，２１３が間隔を開けて横向きに１列になると共に、信号端子２２は、８本のそれぞれの一方のピン部２２１が互いに平行するように第１の基板２１２の上下両面２１４，２１５に並列され、各他方のピン部２２２が同様に平行状に第１の基板２１２から接続孔２１１の下部へ向かって延伸し、絶縁ケース２１の底部から外に露出していてノートパソコンなどの携帯型電子装置（図示せず）に接続するようにされている。そして、図５に示すように、８個の信号端子２２の第１、第４、第５及び第８の信号端子Ｓ１，Ｓ４，Ｓ５，Ｓ８が接地端子とされ、第２及び第３の端子Ｓ２，Ｓ３が差動信号対端子とされ、第６及び第７の信号端子Ｓ６，Ｓ７は他の差動信号対端子とされる。
【０００９】
また、電源端子２３は、１６本のそれぞれの一方のピン部２３１が互いに平行するように第２の基板２１３の上下両面２１６，２１７に並列され、他方のピン部２３２が第２の基板２１３から接続孔２１１の下部に延伸し、絶縁ケース２１の底部より外に露出していて上記のノートパソコンに接続するようにされている。そして、図６に示すように、１６個の電源端子２３における第１、第２及び第３の電源端子Ｐ１，Ｐ２，Ｐ３が＋３Ｖの直流電源とつながれるものとし、第４、第５、第６、第１２、第１３及び第１４の電源端子Ｐ４，Ｐ５，Ｐ６，Ｐ１２，Ｐ１３，Ｐ１４が接地のためのものとされ、第７、第８及び第１６の電源端子Ｐ７，Ｐ８，Ｐ１６は＋１２Ｖの直流電源とつながれるものとし、第９、第１０及び第１１の電源端子Ｐ９，Ｐ１０，Ｐ１１は＋５Ｖの直流電源につながれるものとし、第１５の電源端子Ｐ１５が予備端子とされる。
【００１０】
こうして、複数の信号端子２２及び電源端子２３は絶縁ケース２１内に纏められるので、ノートパソコンなどの拡張スロットとして、ノートパソコンの後端面にその接続孔２１１が外へ向けて開口するように絶縁ケース２１を作り付けることができる。つまり、ＳＡＴＡコネクタ２によってハードディスクドライブのような外部記憶装置を必要に応じてノートパソコンに接続することができる。図７に示す１例のように、ノートパソコンには、その一端部がＳＡＴＡ規格に対応したプラグ３０が設けられた接続ケーブルがそなえている。このプラグ３０の開放端部に、ＳＡＴＡコネクタ２の接続孔２１１に挿入する係合ブロック３１１が突設されてあり、この係合ブロック３１１に第１及び第２の基板２１２，２１３と対応嵌合する挿入孔３１，３２が形成されている。このように、ハードディスクドライブはプラグ３０をＳＡＴＡコネクタ２に差し込むことにより、ノートパソコンに接続される。従って、ＳＡＴＡコネクタ２は高速運転のハードディスクドライブに接続されても、ハードディスクドライブによる熱が容易にパソコン側に伝わらないため、たとえハードディスクドライブの温度が高くても、ノートパソコン内部の回路に影響を及ぼさない。従って、ＳＡＴＡコネクタ２の伝送速度やハードディスクドライブの運転速度は、制限されることなく、十分に発揮することができる。なお、ＳＡＴＡコネクタ２はシリアル伝送方式を利用した構成であるので、近い将来、伝送速度は６００Ｍバイト／秒までと見込まれており、そうなれば、ＳＡＴＡコネクタ２を介して外部記憶装置をノートパソコンに接続することができることにより、内部記憶装置による高温や放熱不良、ＳＡＴＡ及び記憶装置の機能が十分に発揮しないなどの問題をすべて解消することができる。
【００１１】
【発明の効果】
上記のように、本発明のＳＡＴＡコネクタは、各端子を改めて定義しなおし、外部との拡張スロットとして携帯型電子装置（例えば、ノートパソコン）に作り付けにし、ハードディスクドライブや光ディスクドライブ、フレキシブルディスクドライブなどの個別の記憶装置を携帯型電子装置に外から接続することが可能になるので、高速の伝送速度を実現し、記憶装置の運転速度を高めることができる。
【図面の簡単な説明】
【図１】従来のＳＡＴＡコネクタ及びプラグを示す斜視図である。
【図２】従来のＳＡＴＡコネクタにおける各端子の機能概要を示す説明図である。
【図３】本発明のＳＡＴＡコネクタの実施例を示す斜視図である。
【図４】図３の正面図である。
【図５】図４の上視断面図である。
【図６】実施例における各端子の機能概要を示す説明図である。
【図７】実施例に差し込まれるＳＡＴＡ規格プラグを示す斜視図である。
【符号の説明】
２  ＳＡＴＡコネクタ
２１  絶縁ケース
２１１  接続孔
２１２  第１の基板
２１３  第２の基板
２１４，２１６  上面
２１５，２１７  下面
２２  信号端子
２２１，２３１  一端部
２２２，２３２  他端部
２３  電源端子
３  接続ケーブル
３０  プラグ
３１，３２  挿入孔
３１１  係合ブロック
【図１】
2004319372.tif 000003
【図２】
2004319372.tif 000004
【図３】
2004319372.tif 000005
【図４】
2004319372.tif 000006
【図５】
2004319372.tif 000007
【図６】
2004319372.tif 000008
【図７】
2004319372.tif 000009